(57)【要約】      （修正有）【課題】貼り付け速度を上げ、貼り付けの歪み及び異物混入を減少するスマホ保護フィルム貼り付け専用装置を提供する。【解決手段】装置本体、マニピュレータ３、写真撮り工程部４、フィルム剥離工程部５を含み、四角形プレートにイジェクト式収納箱２が取り付けられ、マニピュレータが横方向駆動装置に取り付けられ、横方向駆動装置が縦方向駆動装置に取り付けられ、縦方向駆動装置が垂直方向駆動装置に取り付けられる。写真撮り工程部及びフィルム剥離工程部はそれぞれ装置本体に設置され、張り合わせ工程部６が写真撮り工程部の後ろに設置される。マニピュレータでスマホを写真撮り工程部に移し、写真でスマホの型番を識別し、張り合わせ工程部に移す。また、保護フィルムを写真撮り工程部、フィルム剥離工程部、張り合わせ工程部へ送り、保護フィルムの保護膜を剥がし、張り合わせを行い、張り合わせられたスマホを収納箱に移す。【選択図】図３
0003226513.tif 000002
【実用新案登録請求の範囲】
【請求項１】
スマホ保護フィルム貼り付け専用装置であって、装置本体（1）とマニピュレータ（3）、写真撮り工程部（4）、フィルム剥離工程部（5）を含んでおり、前記装置本体（1）の前側の一端に四角形プレート（101）が設置されており、四角形プレート（101）にイジェクト式収納箱（2）が取り付けられ、前記四角形プレート（101）の上側には、それぞれディスプレー（102）及びボタン（103）が組み込まれており、前記装置本体（1）の裏側の下には、放熱ファン（104）が組み込まれ、前記マニピュレータ（3）が、横方向駆動装置（302）に取り付けられ、横方向駆動装置（302）の後ろの両端が、それぞれ縦方向駆動装置（303）に取り付けられ、前記縦方向駆動装置（303）の下側が、垂直方向駆動装置（301）に取り付けられ、垂直方向駆動装置（301）が、前記装置本体（1）の内側の両端に設置され、前記写真撮り工程部（4）及びフィルム剥離工程部（5）は、それぞれ、前記装置本体（1）の内側の向こう側に設置され、張り合わせ工程部（6）が、写真撮り工程部（4）の後ろに設置されていることを特徴とするスマホ保護フィルム貼り付け専用装置。
【請求項２】
前記イジェクト式収納箱（2）に二つのスロットA（201）が設置されていることを特徴とする請求項１記載のスマホ保護フィルム貼り付け専用装置。
【請求項３】
前記写真撮り工程部（4）の下側に写真撮り・識別装置（401）が設置されていることを特徴とする請求項１記載のスマホ保護フィルム貼り付け専用装置。
【請求項４】
前記フィルム剥離工程部（5）の下側にフィルム剥離装置（501）が設置されていることを特徴とする請求項１記載のスマホ保護フィルム貼り付け専用装置。
【請求項５】
前記張り合わせ工程部（6）は、下側張り合わせ装置（601）と上側張り合わせ装置（602）から構成され、下側張り合わせ装置（601）にスロットB（6011）が設置されていることを特徴とする請求項１記載のスマホ保護フィルム貼り付け専用装置。
【考案の詳細な説明】
【技術分野】
【０００１】
本考案は保護フィルム貼り付け設備に関するものであり、さらに具体的に言えば、スマホ保護フィルム貼り付け専用装置の一種である。
【背景技術】
【０００２】
スマホの保護フィルム貼り付けは電子化時代においてスマホの大量化製造・利用に伴う新しい業界である。しかし、市場における既存のスマホ保護フィルム貼り付けは手作業によるものであり、相当な技術及び経験が必要であるのである。
【０００３】
例えば、出願番号CN201520804875.7の特許においては、スマホ保護フィルム貼り付けマシンが開示されており、ワンチックマイコン及びそれに接続する保護フィルム供給装置、スマホ供給装置、張り合わせられたスマホの気泡排出装置が含まれている。前述保護フィルム供給装置においては、保護フィルムをスマホ供給装置にあるスマホスクリーンへ導く方向誘導機構が設置されている。
【０００４】
本考案は、保護フィルムを貼り付けた後の気泡を無くし、フィルム貼り付け速度を上げている。そして、機械化及びコントロール技術により、フィルム貼り付けの手作業を自動化作業に変え、フィルム貼り付け効率を上げ、機械加工によってフィルム貼り付け速度を上げ、貼り付けの歪み及び異物混入を減少する目的を果たしている。
【０００５】
上記内容に基づき、手作業によるフィルム貼り付けは、時間がかかり効率が悪く、フィルムを貼り付けた後の気泡発生により貼り付け作業が失敗しやすく、保護フィルムの浪費になってしまう。また、一部のフィルム貼り付けマシンが同じサイズや型番のスマホにしか適用できないことがある。そのため、異なる型番のスマホに適用できる保護フィルム貼り付け専用装置が必要になっている。
【考案の概要】
【考案が解決しようとする課題】
【０００６】
前述の技術問題を解決するために、本考案はスマホ保護フィルム貼り付け専用装置の一種を提供することにより、手作業によるフィルム貼り付けにおいて時間がかかり効率が悪く、フィルムを貼り付けた後の気泡発生により貼り付け作業が失敗しやすく、保護フィルムの浪費になってしまい、一部のフィルム貼り付けマシンが同じサイズや型番のスマホにしか適用できない問題を解決する。
【課題を解決するための手段】
【０００７】
本考案におけるスマホ保護フィルム貼り付け専用装置の目的及び役割は、下記のような具体的な技術手段により果たされている。
スマホ保護フィルム貼り付け専用装置の一種であり、装置本体、マニピュレータ、写真撮り工程部、フィルム剥離工程部が含まれている。前述装置本体の前側に四角形プレートが設置され、四角形プレートにスライドできるイジェクト式収納箱が設置されている。前述四角形プレートの上側にディスプレーとボタンが組み込まれ、前述装置本体の裏側の下に放熱ファンが組み込まれている。前述マニピュレータが横方向駆動装置に設置され、横方向駆動装置の後ろの両端がそれぞれ縦方向駆動装置に設置され、前述縦方向駆動装置の下側が垂直方向駆動装置に設置され、垂直方向駆動装置が装置本体の内側の両端に設置されている。前述写真撮り工程部とフィルム剥離工程部がそれぞれ装置本体の内側の向こう側に設置され、張り合わせ工程部が写真撮り工程部の後ろに設置されている。
【０００８】
さらに、前述イジェクト式収納箱に二つのスロットAが設置されている。
【０００９】
さらに、前述写真撮り工程部の下側に写真撮り・識別装置が設置されている。
【００１０】
さらに、前述フィルム剥離工程部の下側にフィルム剥離装置が設置されている。
【００１１】
さらに、前述張り合わせ工程部は下側張り合わせ装置と上側張り合わせ装置から構成されており、下側張り合わせ装置にはスロットBが設置されている。
【００１２】
本考案は少なくとも下記のような有益効果を持っている。
本装置は、写真撮り工程部を設置することにより、スマホと保護フィルムをイジェクト式収納箱のスロットに入れ、マニピュレータでスマホを写真撮り工程部まで掴み取り、写真撮り・識別装置でスマホの型番を識別し、マニピュレータでスマホを張り合わせ工程部へ送る。また、マニピュレータで保護フィルムを写真撮り工程部まで掴み取り、写真撮り・識別装置で保護フィルムのQRコード（登録商標）を読取、フィルム剥離工程部へ送る。フィルム剥離装置で保護フィルムのプロテクション膜を剥がし、マニピュレータで識別・張り合わせ工程部へ送る。張り合わせを行ってから、マニピュレータで張り合わせられたスマホを収納箱まで掴み取り、イジェクト式収納箱からイジェクトする。本装置は異なる型番のスマホに適用し、保護フィルムの貼り付け効率を上げ、貼り付けの成功率を上げることができる。
【図面の簡単な説明】
【００１３】
【図１】本考案の構造に関する説明図である。
【図２】本考案における向こう側の構造に関する説明図である。
【図３】本考案における内部構造の俯瞰図である。
【図４】本考案における内部構造に関する説明図である。
【図５】本考案の図4に対するもう一つの軸における構造説明図である。
【図６】本考案の作動フローに関する説明図である。
【考案を実施するための形態】
【００１４】
これから添付図面と実施例を結び合わせ、本考案の実施方式をさらに詳しく説明させていただく。下記の実施例は本発明を説明するものであり、本考案の応用範囲を制限するものとしてはいけない。
【００１５】
本考案の説明においては、別途説明がない限りでは、「複数」とは二つかそれ以上のことを示す。「上」、「下」、「左」、「右」、「内」、「外」、「前側」、「後ろ側」、「頭部」や「尾部」などの術語で示した方位や位置関係は添付図面に基づいた方位や位置関係であり、本発明をはっきり説明するためのものである。装置や部品が特定の方位を備えなければならないこと、或いは特定の方位で構成したり操作したりすることを明示・暗示するものではない。そのため、本発明に対する制限として受け止めてはいけない。また、「第一」、「第二」、「第三」などの術語は説明するためのものであり、対応する重要性を明示・暗示するものとして受け止めてはいけない。
【００１６】
本考案の説明においては、別途に明確に規定・限定していない限りでは、「つなぎ合わせる」、「接続する」などの術語は広義範囲で理解すべきである。例えば、固定接続又は取り外し可能な接続、一体化接続のいずれでもよく、機械的接続又は電気的接続のいずれでもよく、直接的接続又は媒介物による間接的接続のいずれでもよい。本分野における一般技術者にとっては、具体的な状況に応じ本発明における前述術語の具体的な意味を理解することができる。
【００１７】
添付図面１から添付図面６まで示されているように、本考案はスマホ保護フィルム貼り付け専用装置の一種を提供しており、装置本体1及びマニピュレータ3、写真撮り工程部4、フィルム剥離工程部5を含んでいる。前述装置本体1の前側の一端に四角形プレート101が設置されており、四角形プレート101にイジェクト式収納箱2が取り付けている。
【００１８】
前述四角形プレート101の上側にはそれぞれディスプレー102及びボタン103が組み込まれており、前述装置本体1の裏側の下には放熱ファン104が組み込まれている。前述マニピュレータ3が横方向駆動装置302に取り付けられ、横方向駆動装置302の後ろの両端がそれぞれ縦方向駆動装置303に取り付けられ、前述縦方向駆動装置303の下側が垂直方向駆動装置301に取り付けられ、垂直方向駆動装置301が装置本体1の内側の両端に設置されている。前述写真撮り工程部4及びフィルム剥離工程部5はそれぞれ装置本体1の内側の向こう側に設置され、張り合わせ工程部6が写真撮り工程部4の後ろに設置されている。
【００１９】
その中、イジェクト式収納箱2に二つのスロットA201が設置されている。スマホと保護フィルムをイジェクト式収納箱2のスロットA201に入れて位置を固定することができる。
【００２０】
その中、写真撮り工程部4の下側に写真撮り・識別装置401が設置され、マニピュレータ3でスマホを写真撮り工程部4まで掴み取り、写真撮り・識別装置401でスマホの型番を識別する。マニピュレータ3で保護フィルムを写真撮り工程部4まで掴み取り、写真撮り・識別装置401で保護フィルムのQRコード（登録商標）を読み取る。
【００２１】
その中、マニピュレータ3で保護フィルムをフィルム剥離工程部5へ送り、フィルム剥離装置501で保護フィルムのプロテクション膜を剥がすように、フィルム剥離工程部5の下側にフィルム剥離装置501が設置されている。
【００２２】
その中、張り合わせ工程部6は下側張り合わせ装置601と上側張り合わせ装置602から構成されている。マニピュレータ3でスマホをスロットB6011へ送って位置を固定し、マニピュレータ3で保護フィルムを張り合わせ工程部6へ送るように、下側張り合わせ装置601にスロットB6011が設置されている。下側張り合わせ装置601と上側張り合わせ装置602により張り合わせを行う。
【００２３】
本実施例の具体的な使い方及び役割は下記の通りである。
本考案では、スマホと保護フィルムをイジェクト式収納箱2のスロットA201に入れ、マニピュレータ3でスマホを写真撮り工程部4まで掴み取り、写真撮り・識別装置401でスマホの型番を識別する。マニピュレータ3でスマホを張り合わせ工程部6の下側張り合わせ装置601のスロットB6011まで掴み取り、マニピュレータ3で保護フィルムを写真撮り工程部4まで掴み取る。
【００２４】
写真撮り・識別装置401で保護フィルムのQRコード（登録商標）を読み取り、フィルム剥離工程部5へ送る。フィルム剥離装置501で保護フィルムのプロテクション膜を剥がし、マニピュレータ3で識別・張り合わせ工程部6へ送り、下側張り合わせ装置601と上側張り合わせ装置602により張り合わせを行ってから、マニピュレータ3で張り合わせられたスマホを収納箱2まで掴み取り、イジェクト式収納箱2をイジェクトさせる。
【００２５】
本考案に対して詳しく説明していない内容としては、いずれも本分野における技術者の周知技術である。
本考案の実施例はあくまで例示や説明を行うためのものであり、それ以上漏れがないことを示すものではないし、本発明を開示されている形に限定するものでもない。本発明に対する修正や変動は本分野の一般技術者にとって明らかに分かることである。本発明の原理と実際応用をよく説明し、本分野の一般技術者が本発明を理解するうえ、特定用途に適した、色々な修正を入れた各種の実施例を設計することができるように、これらの実施例を選択して説明しているのである。
【符号の説明】
【００２６】
１  装置本体
１０１  四角形プレート
１０２  ディスプレー
１０３  ボタン
１０４  放熱ファン
２  イジェクト式収納箱
２０１  スロットA
３  マニピュレータ
３０１  垂直方向駆動装置
３０２  横方向駆動装置
３０３  縦方向駆動装置
４  写真撮り工程部
４０１  写真撮り・識別装置
５  フィルム剥離工程部
５０１  フィルム剥離装置
６  張り合わせ工程部
６０１  下側張り合わせ装置
９０１１  スロットB
６０２  上側張り合わせ装置
【図１】
0003226513.tif 000003
【図２】
0003226513.tif 000004
【図３】
0003226513.tif 000005
【図４】
0003226513.tif 000006
【図５】
0003226513.tif 000007
【図６】
0003226513.tif 000008